(57)【要約】【課題】状況に応じて入力される音声の品質を向上させることができる携帯型無線通信装置およびその制御方法を提供すること。【解決手段】携帯型無線通信装置１０は、音を取得して電気信号へ変換する音入力部１６０と、携帯型無線通信装置１０の状況を検出する状況検出部１７０と、状況検出部１７０の検出結果に応じて音入力部１６０を制御する制御部１８０とを備える。例えば、状況検出部１７０は、携帯型無線通信装置１０の傾きを検出し、制御部１８０は、状況検出部１７０によって検出された傾きに応じて、音入力部１６０の指向性を制御する。【選択図】図１
2010283541.tif 000002
【特許請求の範囲】
【請求項１】
音を取得して電気信号へ変換する音入力部と、
自装置の状況を検出する状況検出部と、
前記状況検出部の検出結果に応じて前記音入力部を制御する制御部と
を備えたことを特徴とする携帯型無線通信装置。
【請求項２】
前記状況検出部は、自装置の傾きを検出し、
前記制御部は、前記状況検出部によって検出された傾きに応じて、前記音入力部の指向性を制御することを特徴とする請求項１に記載の携帯型無線通信装置。
【請求項３】
前記制御部は、前記状況検出部によって検出された傾きに基づいて、自装置が利用者のどちらの手によって保持されているかを判定し、自装置が保持されている手に応じて、前記音入力部の指向性を制御することを特徴とする請求項２に記載の携帯型無線通信装置。
【請求項４】
前記状況検出部は、自装置の揺れの頻度を検出し、
前記制御部は、前記状況検出部によって検出された揺れの頻度に応じて、前記音入力部の周波数特性と入力音圧の少なくとも１つを制御することを特徴とする請求項１〜３のいずれか１つに記載の携帯型無線通信装置。
【請求項５】
音を取得して電気信号へ変換する音入力部を有する携帯型無線通信装置を制御する制御方法であって、
前記携帯型無線通信装置の状況を検出する状況検出ステップと、
前記状況検出ステップの検出結果に応じて前記音入力部を制御する制御ステップと
を含んだことを特徴とする制御方法。
【発明の詳細な説明】
【技術分野】
【０００１】
本発明は、携帯型無線通信装置およびその制御方法に関する。
【背景技術】
【０００２】
近年、携帯電話端末の小型化の進展にともない、通話時における利用者の口と携帯電話端末のマイク部の距離が遠くなっている。このため、通話時に携帯電話端末のマイク部が利用者の声を拾い難くなる一方で、周囲の騒音を拾い易くなっており、通話相手が音声を聞き取りづらくなっている。
【０００３】
かかる問題を解決するため、マイク部を可動にし、利用者の操作によってマイク部を利用者の口がある方向へ向けることができる携帯電話装置が提案されている。マイク部を利用者の口がある方向へ向けることができれば、マイク部は、利用者の声を拾い易くなり、また、周囲の騒音を拾い難くなる。
【先行技術文献】
【特許文献】
【０００４】
【特許文献１】特開２０００−２７００６７号公報
【発明の概要】
【発明が解決しようとする課題】
【０００５】
しかしながら、携帯電話端末の持ち方は、状況によって変化する。例えば、通常は右手で携帯電話端末を持つ人であっても、右手に荷物を持っている状況では、左手で携帯電話端末を持って通話せざるを得ないことがある。このように状況に応じて携帯電話端末の持ち方が変わるため、上述した従来技術による携帯電話端末を利用する通話者は、通話相手に明瞭な声を届けるために、携帯電話端末の持ち方に応じてマイク部の方向を変更しなければならず、操作が煩雑であった。
【０００６】
このため、携帯電話端末等の携帯型無線通信装置について、入力される音声の品質を携帯型無線通信装置の状況に応じて向上させることができる技術の実現が強く要望されていた。開示の技術は、上記に鑑みてなされたものであって、状況に応じて入力される音声の品質を向上させることができる携帯型無線通信装置およびその制御方法を提供することを目的とする。
【課題を解決するための手段】
【０００７】
本願の開示する携帯型無線通信装置は、一つの態様において、音を取得して電気信号へ変換する音入力部と、自装置の状況を検出する状況検出部と、前記状況検出部の検出結果に応じて前記音入力部を制御する制御部とを備える。
【発明の効果】
【０００８】
本願の開示する携帯型無線通信装置およびその制御方法の一つの態様によれば、状況に応じて入力される音声の品質を向上させることができるという効果を奏する。
【図面の簡単な説明】
【０００９】
【図１】図１は、本実施例に係る携帯型無線通話装置の構成を示すブロック図である。
【図２】図２は、音声の時間差を示す図である。
【図３】図３は、入力信号のなす角度を示す図である。
【図４】図４は、指向性を目的方向にするためのゲインを示す図である。
【図５】図５は、持ち手と傾きの対応を示す図である。
【図６】図６は、１軸の場合の持ち手の判定ロジックを示す図である。
【図７】図７は、３軸の場合の持ち手の判定ロジックを示す図である。
【図８】図８は、集音方向と集音範囲を示す図である。
【図９】図９は、集音方向と集音範囲の設定手順を示す図である。
【図１０】図１０は、傾きのずれを示す図である。
【図１１】図１１は、傾きのずれと性能値の対応の一例を示す図である。
【図１２】図１２は、揺れの頻度と性能値の対応の一例を示す図である。
【図１３】図１３は、移動速度を性能値の対応の一例を示す図である。
【図１４】図１４は、加速度と性能値の対応の一例を示す図である。
【図１５】図１５は、周波数成分の抑制係数の一例を示す図である。
【図１６】図１６は、入力音圧の調整の係数の一例を示す図である。
【図１７】図１７は、指向性に関する制御の処理手順を示すフローチャートである。
【図１８】図１８は、周波数特性に関する制御の処理手順を示すフローチャートである。
【図１９】図１９は、入力音圧に関する制御の処理手順を示すフローチャートである。
【発明を実施するための形態】
【００１０】
以下に、本願の開示する携帯型無線通信装置およびその制御方法の実施例を図面に基づいて詳細に説明する。なお、この実施例によりこの発明が限定されるものではない。
【実施例】
【００１１】
まず、本実施例に係る携帯型無線通話装置１０の構成について説明する。なお、携帯型無線通話装置は、携帯電話端末の他に、無線通話機能をもった携帯型のパソコンやＰＤＡ（Personal Digital Assistant）等の各種情報処理装置を含む。
【００１２】
図１は、本実施例に係る携帯型無線通話装置１０の構成を示すブロック図である。図１に示すように、携帯型無線通話装置１０は、操作部１１０と、表示部１２０と、通信部１３０と、アンテナ１４０と、音出力部１５０と、音入力部１６０と、状況検出部１７０と、制御部１８０とを有する。
【００１３】
操作部１１０は、利用者の操作を受け付けるための各種ボタン等を有する。表示部１２０は、文字や画像等を表示するための液晶表示装置等の表示装置を有する。通信部１３０は、アンテナ１４０を介して、他の装置との間で無線通信を行う。音出力部１５０は、通話時の音声等を音として出力するためのスピーカ等を有する。
【００１４】
音入力部１６０は、通話時の音声等を取得し、電気的な信号へ変換する。音入力部１６０は、制御部１８０の制御に応じて指向性、周波数特性、入力音圧等を調整する機能を有する。かかる機能は、例えば、マイクロホンアレイを用いることで実現される。
【００１５】
音入力部１６０における指向性の調整について、図２〜図５を参照しながら説明する。図２は、マイク２１ａおよびマイク２１ｂに角度θ方向から平面波が到来した際の到達時間差を示す。到来方向θからの信号に対して、マイク２１ａおよびマイク２１ｂの信号にはτ（θ）の時間差（位相差）ができる。
【００１６】
図３は、マイク２１ａおよびマイク２１ｂの信号を時間周波数変換することで得られる、複素スペクトルのうち、ある周波数ｆについて図示したものである。ｍ１（ｆ）、ｍ２（ｆ）は、それぞれマイク２１ａおよびマイク２１ｂの周波数ｆの複素スペクトルを表わす。マイク２１ａおよびマイク２１ｂの位相差ψ（ｆ）は、周波数ｆの成分の信号の到来方向によって決まるため、これを測定することで、目的方向θとの角度差φ（ｆ）を算出できる。
【００１７】
マイク２１ａおよびマイク２１ｂの位相差ψ（ｆ）の算出式を式（１）に、目的方向θとの角度差φ（ｆ）の算出式を式（２）に示す。
【００１８】
【数１】
2010283541.tif 000003
【数２】
2010283541.tif 000004
【００１９】
ここで、Ｒ１（ｆ）は、マイク２１ａの入力信号の周波数ｆのスペクトルの実部であり、Ｉ１（ｆ）は、マイク２１ａの入力信号の周波数ｆのスペクトルの虚部である。また、Ｒ２（ｆ）は、マイク２１ｂの入力信号の周波数ｆのスペクトルの実部であり、Ｉ２（ｆ）は、マイク２１ｂの入力信号の周波数ｆのスペクトルの虚部である。
【００２０】
そして、周波数毎に目的方向との角度差によってスペクトル振幅に適用するゲインを算出し、適用する。具体的には、図３に示すように、目的方向との角度差が小さいほどゲインを大きくし、目的方向との角度差が大きいほどゲインを小さくすることで、目的方向に感度が高く、目的方向からの角度が大きくなるほど感度を小さくするように調節する。
【００２１】
このように、目的方向θと、目的方向θ周辺の感度を設定することで、指向性を調節することができる。以下に、目的方向からの角度φ（ｆ）によってゲインを算出する式（３）と、ゲインを用いてスペクトルを調節する式（４）および式（５）に示す。
【００２２】
【数３】
2010283541.tif 000005
【数４】
2010283541.tif 000006
【数５】
2010283541.tif 000007
【００２３】
ここで、Ｇｍａｘは、ゲインの最大値であり、Ｇｍｉｎは、ゲインの最小値である。また、θｔｈは、ゲインがＧｍｉｎとなる最小の角度差である。また、Ｒ（ｆ）は、調整前の入力信号の周波数ｆのスペクトルの実部であり、Ｉ（ｆ）は、調整前の入力信号の周波数ｆのスペクトルの虚部である。また、ｍｏｄＲ（ｆ）は、調整後の入力信号の周波数ｆのスペクトルの実部であり、ｍｏｄＩ（ｆ）は、調整後の入力信号の周波数ｆのスペクトルの虚部である。
【００２４】
図１の説明に戻って、状況検出部１７０は、傾き検出部１７１、揺れ検出部１７２、速度検出部１７３、加速度検出部１７４といった各種検出部を有し、携帯型無線通話装置１０の状況を検出する。なお、状況検出部１７０は、図１に示した各種検出部を全て備えている必要はなく、また、これ以外の検出部を備えていてもよい。また、例えば、傾き検出部１７１、揺れ検出部１７２および加速度検出部１７４が、１つの加速度センサを共有するというように、各種検出部が共有部分を有していてもよい。
【００２５】
傾き検出部１７１は、携帯型無線通話装置１０の傾きを検出する検出部であり、例えば、加速度センサ、地磁気センサ、ジャイロスコープ等を含む。揺れ検出部１７２は、携帯型無線通話装置１０の揺れの頻度を検出する検出部であり、例えば、振動センサや加速度センサを有する。
【００２６】
速度検出部１７３は、携帯型無線通話装置１０の移動速度を検出する検出部である。速度検出部１７３は、携帯型無線通話装置１０の移動速度を検出するために、例えば、ＧＰＳ（Global Positioning System）のような位置検出手段を利用する。加速度検出部１７４は、携帯型無線通話装置１０の加速度を検出する検出部であり、例えば、加速度センサを有する。
【００２７】
制御部１８０は、携帯型無線通話装置１０を全体制御する制御部であり、持ち手判定部１８１と、指向性調整量制御部１８２と、性能値算出部１８３と、周波数特性調整量制御部１８４と、音圧調整量制御部１８５とを有する。
【００２８】
持ち手判定部１８１は、傾き検出部１７１の検出結果に基づいて、携帯型無線通話装置１０がどちらの手に持たれているのかを判定する。図５に示すように、通話時における携帯型無線通話装置１０の傾きは、右手で持たれている場合にはある一定の範囲にほぼ収まり、左手で持たれている場合には他の一定の範囲にほぼ収まる。持ち手判定部１８１は、携帯型無線通話装置１０の傾きをこれらの範囲と比較することによって、携帯型無線通話装置１０がどちらの手に持たれているのかを判定する。
【００２９】
図６は、１軸の加速度センサを用いた場合の持ち手判定部１８１の判定ロジックを示すフローチャートである。傾き検出部１７１で携帯型無線通話装置１０の傾きが検出され（ステップＳ１１）、検出された傾きがＬｍｉｎとＬｍａｘの間にある場合（ステップＳ１２肯定）、持ち手判定部１８１は、携帯型無線通話装置１０が左手で持たれていると判定する（ステップＳ１３）。
【００３０】
また、検出された傾きがＲｍｉｎとＲｍａｘの間にある場合（ステップＳ１２否定、ステップＳ１４肯定）、持ち手判定部１８１は、携帯型無線通話装置１０が右手で持たれていると判定する（ステップＳ１５）。また、その他の場合（ステップＳ１２否定、ステップＳ１４否定）、持ち手判定部１８１は、携帯型無線通話装置１０の持ち手が不明であると判定する（ステップＳ１６）。
【００３１】
図７は、３軸の加速度センサを用いた場合の持ち手判定部１８１の判定ロジックを示すフローチャートである。傾き検出部１７１では、携帯型無線通話装置１０の軸１に対する傾きθ１が検出され（ステップＳ２１）、軸２に対する傾きθ２が検出され（ステップＳ２２）、軸３に対する傾きθ３が検出される（ステップＳ２３）。そして、θ１がＲ１ｍｉｎとＲ１ｍａｘの間にあり、θ２がＲ２ｍｉｎとＲ２ｍａｘの間にあり、θ３がＲ３ｍｉｎとＲ３ｍａｘの間にある場合（ステップＳ２４肯定）、持ち手判定部１８１は、携帯型無線通話装置１０が右手で持たれていると判定する（ステップＳ２５）。
【００３２】
また、θ１がＬ１ｍｉｎとＬ１ｍａｘの間にあり、θ２がＬ２ｍｉｎとＬ２ｍａｘの間にあり、θ３がＬ３ｍｉｎとＬ３ｍａｘの間にある場合（ステップＳ２４否定、ステップＳ２６肯定）、持ち手判定部１８１は、携帯型無線通話装置１０が左手で持たれていると判定する（ステップＳ２７）。また、その他の場合、持ち手判定部１８１は、携帯型無線通話装置１０の持ち手が不明であると判定する（ステップＳ２８）。
【００３３】
指向性調整量制御部１８２は、持ち手判定部１８１の判定結果に基づいて、音入力部１６０の指向性を制御する。例えば、指向性調整量制御部１８２は、図８の例に示すように、集音方向と集音範囲を制御する。図８は、利用者が携帯型無線通話装置１０を右手で持っている状態を上面から見た図であり、この際の集音方向と集音範囲を示している。
【００３４】
ここで、集音方向とは、音入力部１６０の指向性を向ける方向であり、集音範囲とは、集音方向を基準とした音を収集する範囲の角度である。集音方向と集音範囲は、通話時に利用者の口元が集音範囲に入るように、持ち手判定部１８１の判定結果に応じて異なる値に設定される。
【００３５】
指向性調整量制御部１８２が実行する制御の詳細について図９を参照しながら説明する。図９に示すように、持ち手判定部１８１の判定結果が入力されると（ステップＳ３１）、指向性調整量制御部１８２は、入力された判定結果に応じて集音方向と集音範囲を設定する。
【００３６】
すなわち、携帯型無線通話装置１０が左手で持たれているとの判定結果が入力された場合は（ステップＳ３２肯定）、指向性調整量制御部１８２は、集音方向をｃ度に設定し（ステップＳ３３）、集音範囲をｆ度に設定する（ステップＳ３４）。ここで、集音範囲は利用者の口元周辺に限ることが望ましいので、ｆは、例えば、１０〜３０度程度に設定される。
【００３７】
また、携帯型無線通話装置１０が右手で持たれているとの判定結果が入力された場合は（ステップＳ３２否定、ステップＳ３５肯定）、指向性調整量制御部１８２は、集音方向をｂ度に設定し（ステップＳ３６）、集音範囲をｅ度に設定する（ステップＳ３７）。ここで、集音範囲は利用者の口元周辺に限ることが望ましいので、ｅは、例えば、１０〜３０度程度に設定される。
【００３８】
また、携帯型無線通話装置１０の持ち手が不明であるとの判定結果が入力された場合は（ステップＳ３２否定、ステップＳ３５否定）、指向性調整量制御部１８２は、集音方向をａ度に設定し（ステップＳ３８）、集音範囲をｄ度に設定する（ステップＳ３９）。ここで、集音方向のａ度と集音範囲をｄ度は、携帯型無線通話装置１０がどのように持たれている場合でも比較的良好に音声を取得できる値に予め設定される。
【００３９】
なお、上記の説明では、携帯型無線通話装置１０がどのように持たれているかに応じて３パターンの指向性の設定を切り換えることとしたが、さらに細かく制御を行うこととしてよい。持ち手判定部１８１が携帯型無線通話装置１０の傾きと比較する範囲を細分化し、細分化された範囲毎に集音方向と集音範囲を設定しておくことにより、高精度な指向性の制御が可能となり、取得される音声の品質が向上する。
【００４０】
性能値算出部１８３は、状況検出部１７０の各検出部の検出結果に基づいて性能値を算出する。性能値は、音入力部１６０において取得される利用者の音声の品質の高さの期待値であり、期待される品質が高いほど大きな値となる。以下に、状況検出部１７０の検出部毎に、性能値算出部１８３がどのように期待値を算出するかについて説明する。
【００４１】
傾きについては、携帯型無線通話装置１０が右手で持たれている場合と左手で持たれている場合において、音声が最も高品質に取得される傾きがそれぞれあり、その傾きとのずれが大きくなるほど取得される音声の品質が低くなると考えられる。
【００４２】
そこで、性能値算出部１８３は、図１０に示すように、持ち手判定部１８１の判定結果に応じて予め決められた基準の傾きと、傾き検出部１７１によって検出された傾きとのずれの角度の絶対値θを求める。そして、性能値算出部１８３は、図１１の例に示すように、求められたθに基づいて性能値を算出する。具体的には、性能値算出部１８３によって算出される性能値は、θが０の時に最大値のＡｍａｘとなり、θがθｍａｘ以上になれば最小値のＡｍｉｎとなる。
【００４３】
また、揺れについては、携帯型無線通話装置１０の揺れが多いほど、音入力部１６０が利用者の口元から遠くなり易くなって周囲のノイズを拾うことが多くなると考えられる。そこで、図１２の例に示すように、性能値算出部１８３によって算出される性能値は、揺れ検出部１７２によって検出される揺れの頻度が多いほど、低い値となる。
【００４４】
また、速度については、携帯型無線通話装置１０の移動速度が速いほど、音入力部１６０が利用者の口元から遠くなり易くなって周囲のノイズを拾うことが多くなると考えられる。そこで、図１３の例に示すように、性能値算出部１８３によって算出される性能値は、速度検出部１７３によって検出される速度が速いほど、低い値となる。
【００４５】
また、加速度については、携帯型無線通話装置１０の加速度が大きいほど、音入力部１６０が利用者の口元から遠くなり易くなって周囲のノイズを拾うことが多くなると考えられる。そこで、図１４の例に示すように、性能値算出部１８３によって算出される性能値は、加速度検出部１７４によって検出される加速度が大きいほど、低い値となる。
【００４６】
そして、性能値算出部１８３は、こうして各検出部の検出結果から算出した性能値に基づいて最終的な性能値を算出し、周波数特性調整量制御部１８４および音圧調整量制御部１８５へ出力する。なお、最終的な性能値の算出については、各検出部の検出結果から算出した性能値の平均値を求めることとしてもよいし、各検出部の検出結果から算出した性能値を所定の数式に適用して求めることとしてもよい。
【００４７】
周波数特性調整量制御部１８４は、性能値算出部１８３から入力された性能値に基づいて、音入力部１６０の周波数特性を制御する。具体的には、周波数特性調整量制御部１８４は、性能値算出部１８３から入力された性能値に基づいて、人間の音声の成分が多い周波数帯以外の周波数成分を抑制するための抑圧係数を周波数毎に算出する。
【００４８】
周波数特性調整量制御部１８４によって算出される抑圧係数の例を図１５に示す。図１５において、Ｆｌは、人間の音声の成分が多い周波数帯の下限であり、例えば、１００Ｈｚである。また、Ｆｈは、人間の音声の成分が多い周波数帯の上限であり、例えば、１５００Ｈｚである。また、ｃｏｅｆは、性能値算出部１８３から入力された性能値に基づいて算出される係数であり、１．０を上限として、性能値算出部１８３から入力された性能値が低いほど０に近い値となる。
【００４９】
図１５の例に示すように、周波数特性調整量制御部１８４は、Ｆｌ〜Ｆｈの周波数帯で上限の１．０となり、Ｆｌ〜Ｆｈの周波数帯から遠くなるほど値がｃｏｅｆに近くなるように周波数毎の抑圧係数を算出する。このようにして算出された抑圧係数を対応する周波数のスペクトルに乗じることにより、性能値算出部１８３から入力された性能値が低い場合に、人間の音声の成分が多い周波数帯以外の成分を減少させ、取得される音声を明りょうにすることができる。
【００５０】
音圧調整量制御部１８５は、性能値算出部１８３から入力された性能値に基づいて、音入力部１６０の入力音圧を調整するための係数を算出する。音圧調整量制御部１８５によって算出される係数の例を図１６に示す。図１６の例に示すように、音圧調整量制御部１８５は、性能値算出部１８３から入力された性能値が低いほど値が小さくなるように係数を算出する。このように算出された係数を用いて入力音圧を調整することにより、性能値が低くノイズが多いと思われる場合に入力音圧を低下させて、大きなノイズが通信先へ送られることを抑制することができる。
【００５１】
次に、携帯型無線通話装置１０における音入力部１６０の制御の処理手順について説明する。図１７は、指向性に関する制御の処理手順を示すフローチャートである。図１７に示すように、傾き検出部１７１が携帯型無線通話装置１０の傾きを検出し（ステップＳ１０１）、持ち手判定部１８１が傾き検出部１７１の検出結果に基づいて、携帯型無線通話装置１０がどちらの手に持たれているか判定する（ステップＳ１０２）。そして、指向性調整量制御部１８２が、持ち手判定部１８１の判定結果に基づいて、音入力部１６０の指向性を調整する（ステップＳ１０３）。
【００５２】
図１８は、周波数特性に関する制御の処理手順を示すフローチャートである。図１８に示すように、揺れ検出部１７２等が揺れ等を検出し（ステップＳ２０１）、性能値算出部が、それらの検出結果に基づいて性能値を算出する（ステップＳ２０２）。そして、周波数特性調整量制御部１８４は、性能値算出部１８３によって算出された性能値に基づいて、以下の式（６）および式（７）を用いて抑圧係数を算出する（ステップＳ２０３）。
【００５３】
【数６】
2010283541.tif 000008
【数７】
2010283541.tif 000009
【００５４】
ここで、ｒａｔｅ（ｆ）は、周波数ｆＨｚに適用する抑圧係数である。また、Ａは、性能値算出部１８３から入力された性能値であり、Ａｍａｘは、性能値がとりうる最大値であり、Ａｍｉｎは、性能値がとりうる最小値である。
【００５５】
音入力部１６０は、取得した音信号のスペクトルをフーリエ変換で算出する（ステップＳ２０４）。そして、音入力部１６０は、周波数特性調整量制御部１８４によって算出された各周波数の抑圧係数を、以下の式（８）および式（９）に示すように、対応する周波数のスペクトルに乗じる（ステップＳ２０５）。
【００５６】
【数８】
2010283541.tif 000010
【数９】
2010283541.tif 000011
【００５７】
ここで、Ｒｅ（ｆ）は、入力信号の周波数ｆのスペクトルの実部であり、Ｉｍ（ｆ）は、入力信号の周波数ｆのスペクトルの虚部である。また、ｍｏｄＲｅ（ｆ）は、抑圧係数によって調整された後の入力信号の周波数ｆのスペクトルの実部であり、ｍｏｄＩｍ（ｆ）は、抑圧係数によって調整された後の入力信号の周波数ｆのスペクトルの虚部である。
【００５８】
そして、音入力部１６０は、調節した入力信号のスペクトルを逆フーリエ変換で時間領域の信号に変換する（ステップＳ２０６）。
【００５９】
図１９は、入力音圧に関する制御の処理手順を示すフローチャートである。図１９に示すように、揺れ検出部１７２等が揺れ等を検出し（ステップＳ３０１）、性能値算出部１８３が、それらの検出結果に基づいて性能値を算出する（ステップＳ３０２）。そして、音圧調整量制御部１８５は、性能値算出部１８３によって算出された性能値に基づいて、入力音圧を調整するための係数を算出する（ステップＳ３０３）。
【００６０】
そして、音入力部１６０は、音圧調整量制御部１８５によって算出された係数を用いて、以下の式（１０）のように入力音圧を調整する（ステップＳ３０４）。
【００６１】
【数１０】
2010283541.tif 000012
【００６２】
ここで、ｒａｔｅは、音圧調整量制御部１８５によって算出された係数である。また、Ｐは、調整前の入力音圧であり、Ｍｏｄ（Ｐ）は、調整後の入力音圧である。
【００６３】
上述してきたように、本実施例では、携帯型無線通話装置１０の状況を検出した結果に応じて音入力部１６０を制御することとしたので、携帯型無線通話装置１０の状況に応じて音入力部１６０で取得される音声の品質を向上させることができる。
【００６４】
以上の各実施例を含む実施形態に関し、さらに以下の付記を開示する。
【００６５】
（付記１）音を取得して電気信号へ変換する音入力部と、
自装置の状況を検出する状況検出部と、
前記状況検出部の検出結果に応じて前記音入力部を制御する制御部と
を備えたことを特徴とする携帯型無線通信装置。
【００６６】
（付記２）前記状況検出部は、自装置の傾きを検出し、
前記制御部は、前記状況検出部によって検出された傾きに応じて、前記音入力部の指向性を制御することを特徴とする付記１に記載の携帯型無線通信装置。
【００６７】
（付記３）前記制御部は、前記状況検出部によって検出された傾きに基づいて、自装置が利用者のどちらの手によって保持されているかを判定し、自装置が保持されている手に応じて、前記音入力部の指向性を制御することを特徴とする付記２に記載の携帯型無線通信装置。
【００６８】
（付記４）前記状況検出部は、自装置の揺れの頻度を検出し、
前記制御部は、前記状況検出部によって検出された揺れの頻度に応じて、前記音入力部の周波数特性と入力音圧の少なくとも１つを制御することを特徴とする付記１〜３のいずれか１つに記載の携帯型無線通信装置。
【００６９】
（付記５）前記状況検出部は、自装置の移動速度を検出し、
前記制御部は、前記状況検出部によって検出された移動速度に応じて、前記音入力部の周波数特性と入力音圧の少なくとも１つを制御することを特徴とする付記１〜４のいずれか１つに記載の携帯型無線通信装置。
【００７０】
（付記６）前記状況検出部は、自装置の加速度を検出し、
前記制御部は、前記状況検出部によって検出された加速度に応じて、前記音入力部の周波数特性と入力音圧の少なくとも１つを制御することを特徴とする付記１〜５のいずれか１つに記載の携帯型無線通信装置。
【００７１】
（付記７）音を取得して電気信号へ変換する音入力部を有する携帯型無線通信装置を制御する制御方法であって、
前記携帯型無線通信装置の状況を検出する状況検出ステップと、
前記状況検出ステップの検出結果に応じて前記音入力部を制御する制御ステップと
を含んだことを特徴とする制御方法。
【００７２】
（付記８）前記状況検出ステップは、前記携帯型無線通信装置の傾きを検出し、
前記制御ステップは、前記状況検出ステップによって検出された傾きに応じて、前記音入力部の指向性を制御することを特徴とする付記７に記載の制御方法。
【００７３】
（付記９）前記制御ステップは、前記状況検出ステップによって検出された傾きに基づいて、自装置が利用者のどちらの手によって保持されているかを判定し、自装置が保持されている手に応じて、前記音入力部の指向性を制御することを特徴とする付記８に記載の制御方法。
【００７４】
（付記１０）前記状況検出ステップは、前記携帯型無線通信装置の揺れの頻度を検出し、
前記制御ステップは、前記状況検出ステップによって検出された揺れの頻度に応じて、前記音入力部の周波数特性と入力音圧の少なくとも１つを制御することを特徴とする付記７〜９のいずれか１つに記載の制御方法。
【００７５】
（付記１１）前記状況検出ステップは、前記携帯型無線通信装置の移動速度を検出し、
前記制御ステップは、前記状況検出ステップによって検出された移動速度に応じて、前記音入力部の周波数特性と入力音圧の少なくとも１つを制御することを特徴とする付記７〜１０のいずれか１つに記載の制御方法。
【００７６】
（付記１２）前記状況検出ステップは、前記携帯型無線通信装置の加速度を検出し、
前記制御ステップは、前記状況検出ステップによって検出された加速度に応じて、前記音入力部の周波数特性と入力音圧の少なくとも１つを制御することを特徴とする付記７〜１１のいずれか１つに記載の制御方法。
【符号の説明】
【００７７】
１０  携帯型無線通話装置
１１０  操作部
１２０  表示部
１３０  通信部
１４０  アンテナ
１５０  音出力部
１６０  音入力部
１７０  状況検出部
１７１  傾き検出部
１７２  揺れ検出部
１７３  速度検出部
１７４  加速度検出部
１８０  制御部
１８１  持ち手判定部
１８２  指向性調整量制御部
１８３  性能値算出部
１８４  周波数特性調整量制御部
１８５  音圧調整量制御部
２１ａ、２１ｂ  マイク
【図１】
2010283541.tif 000013
【図２】
2010283541.tif 000014
【図３】
2010283541.tif 000015
【図４】
2010283541.tif 000016
【図５】
2010283541.tif 000017
【図６】
2010283541.tif 000018
【図７】
2010283541.tif 000019
【図８】
2010283541.tif 000020
【図９】
2010283541.tif 000021
【図１０】
2010283541.tif 000022
【図１１】
2010283541.tif 000023
【図１２】
2010283541.tif 000024
【図１３】
2010283541.tif 000025
【図１４】
2010283541.tif 000026
【図１５】
2010283541.tif 000027
【図１６】
2010283541.tif 000028
【図１７】
2010283541.tif 000029
【図１８】
2010283541.tif 000030
【図１９】
2010283541.tif 000031